(57)【要約】  本発明は、対象者に振動源位置をできるだけ正確に認識させることができる振動子ユニットを提供する。振動子ユニット（１）は、配設部（３）（４）に配設されるものであり、振動を発生する振動子（７）と、該振動子が振動する振動方向（Ｄ１）に直交する方向に振動が伝播することを抑制する伝播抑制手段（８）と、を備えたものである。伝播抑制手段が設けられていることにより、対象者に振動源位置をできるだけ正確に認識させることができる。
2019044825.tif 000002
【特許請求の範囲】
【請求項１】
配設部に配設される振動子ユニットであって、
振動を発生する振動子と、
該振動子が振動する振動方向に直交する方向に前記振動が伝播することを抑制する伝播抑制手段と、を備えることを特徴とする振動子ユニット。
【請求項２】
前記伝播抑制手段は、前記振動子の周囲に設けられた振動吸収材であることを特徴とする請求項１に記載の振動子ユニット。
【請求項３】
前記振動子の前記振動方向に位置する各面のうち少なくとも何れか一方が、前記伝播抑制手段の前記振動方向の面に対して凹んだ位置にあることを特徴とする請求項２に記載の振動子ユニット。
【請求項４】
前記伝播抑制手段は、前記振動子の周面を覆いつつ、前記振動子の前記振動方向に位置する各面のうち振動伝播面とは反対の面を覆う断面略Ｃ字状に形成されていることを特徴とする請求項２または請求項３に記載の振動子ユニット。
【請求項５】
前記振動吸収材より、振動を伝播させ易い素材から構成された伝播促進手段をさらに備え、
前記伝播促進手段が、前記振動子の前記振動方向に位置する各面のうち振動伝播面を覆っていることを特徴とする請求項２〜請求項４のうち何れか一項に記載の振動子ユニット。
【請求項６】
前記伝播抑制手段は、弾性部から構成され、
前記弾性部は、前記振動子の周面と前記配設部との間に位置するように設けられていることを特徴とする請求項１に記載の振動子ユニット。
【発明の詳細な説明】
【技術分野】
【０００１】
本発明は、振動子ユニットに関する。
【背景技術】
【０００２】
従来、車両等の座席に振動子を設け、当該振動子を振動させることによって着座者に対して何らかの情報を発する情報提示システムが提案されている（例えば、特許文献１参照）。また、特許文献１には、自車両の周囲の危険物（他車両、人、固定物等の障害物）を検出し、自車両や危険物の状態（位置や速度など）に応じて、危険物の方向に関する情報（存在する方向や移動方向）を複数の振動子によって運転者に提示する情報提示システムが開示されている。
【先行技術文献】
【特許文献】
【０００３】
【特許文献１】特開２０１１−４８５６６号公報
【発明の概要】
【発明が解決しようとする課題】
【０００４】
上述したような内部に振動子が配設された座席においては、所定の領域に配設された振動子による振動が他の領域まで伝播してしまうため、着座者が振動源位置を誤認してしまうおそれがあり、提示された情報を正しく認識できない場合があった。【０００５】
本発明の課題は、対象者に振動源位置をできるだけ正確に認識させることができる振動子ユニットを提供することが一例として挙げられる。
【課題を解決するための手段】
【０００６】
上記課題を解決するために、請求項１に記載の振動子ユニットは、配設部に配設される振動子ユニットであって、振動を発生する振動子と、該振動子が振動する振動方向に直交する方向に前記振動が伝播することを抑制する伝播抑制手段と、を備えることを特徴とする。
【図面の簡単な説明】
【０００７】
【図１】本発明の第１実施例にかかる振動子ユニットが適用された座席を示す斜視図である。
【図２】前記振動子ユニットを示す分解斜視図である。
【図３】前記振動子ユニットを構成する振動子の断面図である。
【図４】前記振動子ユニットを模式的に示す断面図である。
【図５】前記振動子ユニットを座席の座面に組み付ける様子を説明するための斜視図である。
【図６】前記振動子ユニットを座席の背凭れに組み付ける様子を説明するための斜視図である。
【図７】前記振動子ユニットの作用を説明するための図である。
【図８】本発明の第１実施例の変形例にかかる振動子ユニットが適用された座席を示す斜視図である。
【図９】本発明の第１実施例の他の変形例にかかる振動子ユニットが適用された座席を示す斜視図である。
【図１０】本発明の第１実施例の他の変形例にかかる振動子ユニットが適用された座席を示す斜視図である。
【図１１】本発明の第２実施例にかかる振動子ユニットを示す分解斜視図である。
【図１２】前記振動子ユニットを模式的に示す断面図である。
【図１３】本発明の第３実施例にかかる振動子ユニットを示す斜視図である。
【図１４】前記振動子ユニットの作用を説明するための図である。
【図１５】本発明の第４実施例にかかる振動子ユニットが適用された座席を示す斜視図である。
【図１６】前記振動子ユニットを示す斜視図である。
【図１７】前記振動子ユニットを示すとともに、その作用を説明するための図である。
【発明を実施するための形態】
【０００８】
以下、本発明の一実施形態を説明する。本発明の実施形態にかかる振動子ユニットは、配設部に配設される振動子ユニットであって、振動を発生する振動子と、該振動子が振動する振動方向に直交する方向に振動が伝播することを抑制する伝播抑制手段と、を備えたものである。このような構成により、対象者に振動源位置をできるだけ正確に認識させることができる。
【０００９】
また、伝播抑制手段は、振動子の周囲に設けられた振動吸収材であってもよい。このような構成により、振動子の振動範囲を狭い範囲に限定することができるので、対象者に振動源位置をより正確に認識させることができる。
【００１０】
また、振動子の振動方向に位置する各面のうち少なくとも何れか一方が、伝播抑制手段の振動方向の面に対して凹んだ位置にあってもよい。伝播抑制手段より、振動伝播面が凹んだ位置にある場合には、当該面において、振動子の振動伝播面から伝播された振動が径方向の外側に伝播され難くなるから、振動子の振動範囲を、より一層狭い範囲に限定することができる。
【００１１】
また、伝播抑制手段は、振動子の周面を覆いつつ、振動子の振動方向に位置する各面のうち振動伝播面とは反対の面を覆う断面略Ｃ字状に形成されていてもよい。これによれば、伝播抑制手段により、振動子の振動が、振動子の径方向の外側から回り込んで、対象者に伝播され難くなるから、振動子の振動範囲を、より一層、狭い範囲に限定することができる。
【００１２】
また、振動吸収材より、振動を伝播させ易い素材から構成された伝播促進手段をさらに備え、伝播促進手段が、振動子の振動方向に位置する各面のうち振動伝播面を覆っていてもよい。ここで、対象者と振動子との間に伝播促進手段を介在させた場合には、振動が、伝播促進手段により、振動子の振動方向側に良好に伝播する。従って、振動子の振動範囲を、振動させたい範囲には良好に伝播させつつ、振動させたくない範囲には伝播させ難くできる。これにより、振動子の振動範囲を、狭い範囲に限定することができる。
【００１３】
また、伝播抑制手段は、弾性部から構成され、弾性部は、振動子の周面と配設部との間に位置するように設けられていてもよい。弾性部により、振動子の振動が制振される。このような構成により、振動子の振動範囲を狭い範囲に限定することができる。
【実施例】
【００１４】
（第１実施例）
以下、本発明の第１実施例にかかる振動子ユニットが適用された座席１Ａを図１〜図７を参照して説明する。図１に示す座席１Ａは、座部３（配設部）と、背凭れ４（配設部）と、二対の振動子ユニット５Ｌ、５Ｒ、６Ｌ、６Ｒと、不図示の制御手段と、を備え、車両の運転席を構成する。図１等に示す矢印Ｘは座席１Ａの前後方向であり、矢印Ｙは座席１Ａの幅方向であり、矢印Ｚは座席１Ａの上下方向である。【００１５】
座部３は、着座者（対象者）の臀部及び大腿部を支持するためのものであって、その表面を構成するシート部材１０と、シート部材１０の内側に設けられる緩衝部材１１（クッション部材）等を有する。座部３は、着座面から見て、第１領域Ｅ１と、第２領域Ｅ２と、を有している。第１領域Ｅ１は、座部３の右半分である（座席１Ａに着座した着座者から見た右半分である。）。第２領域Ｅ２は、座部３の左半分である（座席１Ａに着座した着座者から見た左半分である。）。【００１６】
背凭れ４は、座部３の上面に対して交差するように延び、その表面を構成するシート部材１０と、シート部材１０の内側に設けられる緩衝部材１１（クッション部材）等を有する。座部３及び背凭れ４の緩衝部材１１は、例えばウレタンフォームによって構成される。背凭れ４は、着座面から見て、第１領域Ｅ３と、第２領域Ｅ４と、を有している。第１領域Ｅ１は、背凭れ４の右半分である（座席１Ａに着座した着座者から見た右半分である。）。第２領域Ｅ２は、背凭れ４の左半分である（座席１Ａに着座した着座者から見た左半分である。）。【００１７】
上記「着座面」とは、着座者が座席に着座した際に接触する面を意味し、座部３においてはその上面が該当し、背凭れ４においてはその前面が該当する。【００１８】
振動子ユニット５Ｒは、座部３の第１領域Ｅ１に配設されている。振動子ユニット５Ｌは、座部３の第２領域Ｅ２に配設されている。各振動子ユニット５Ｒ、５Ｌは、振動子が振動する方向が、座部３の着座面に直交する方向となるように設置されている。また、座部３において、一対の振動子ユニット５Ｒ、５Ｌは、座部３の幅方向の中心を通りかつ座席１Ａの前後方向と平行な中心軸に関して線対称に配置されている。【００１９】
振動子ユニット６Ｒは、背凭れ４の第１領域Ｅ１に配設されている。振動子ユニット６Ｌは、背凭れ４の第２領域Ｅ２に配設されている。各振動子ユニット６Ｒ、６Ｌは、振動子が振動する方向が、背凭れ４の着座面に直交する方向となるように設置されている。また、背凭れ４において、一対の振動子ユニット６Ｒ、６Ｌは、背凭れ４の幅方向の中心を通りかつ背凭れ４の下端から上端に向かう方向と平行な中心軸に関して線対称に配置されている。【００２０】
振動子ユニット５Ｌ、５Ｒ、６Ｌ、６Ｒは、図２に示すように、振動子７と、各振動子７の振動を抑制する振動吸収材８（伝播抑制手段）と、各振動子７の振動を促進する振動促進材９（伝播促進手段）と、を備えて構成されている。二対の振動子ユニット５Ｌ、５Ｒ、６Ｌ、６Ｒは略同一構成である。【００２１】
各振動子７は、図３に示すように、ケール５１０内に磁気回路５２０が収容されたものである。ケース５１０は、背の低い円筒フレーム５１１（周面）の一端側の開口が、中央部に複数の貫通孔５１２が設けられた円形の第１板壁５１３（振動伝播面）で塞がれ、他端側の開口が円形の第２板壁５１４（振動伝播面とは反対の面）で塞がれたものである。【００２２】
第１板壁５１３の略中央からは、複数の貫通孔５１２を囲むように円筒状のボビン５１２が第２板壁５１４に向かって立設されており、そのボビン５１５の外周にボイスコイル５１６が設けられている。このように、ボイスコイル５１６は、ボビン５１５を介して第１板壁５１３に固定されている。また、複数の貫通孔５１２は、第１板壁５１３と交差する方向から見たときの平面視でボイスコイル５１６の内側に相当する領域５１３ａに設けられている。【００２３】
磁気回路５２０は、リング状のプレート５２１及びマグネット５２２と、円盤状のヨーク５２３と、を備えている。プレート５２１及びマグネット５２２は、ボイスコイル５１６に対してギャップを開けて同軸に配置されている。プレート５２１、即ち磁気回路５２０は、ダンパ５３０を介して円筒フレーム５１１の内壁面に、第１板壁５１３に対する接離方向Ｄ１に振動可能に支持されている。【００２４】
ボイスコイル５１６に交流信号が通電されると、磁気回路５２０が、第１板壁５１３に対する接離方向Ｄ１に振動する。また、その振動のダンパ５３０を介した反作用でケース５１０が振動する。【００２５】
本実施例の振動子７は、外磁型の磁気回路構成であるが、振動子７の構成はこれに限らず、例えば、内磁型の磁気回路構成であってもよい。【００２６】
このような振動子７は、第１板壁５１３が着座者側に向く格好で配置されている。【００２７】
振動吸収材８は、図２、図４に示すように、振動子７の振動方向側の各面と略同一形状となるように形成された円板状の底板８１と、底板８１の周縁から立設される円環状の周板８２と、を備えて、断面略Ｃ字状に形成されている。振動吸収材８は、座部３や背凭れ４内部の緩衝部材１１より柔らかい素材で構成されており、本実施例では、ウレタンフォームで構成されている。各振動吸収材８は、振動子７の円筒フレーム５１１の外周面全域を覆っている。なお、図４において、振動子７は、その詳細な記載を省略して、概略構成を示している。【００２８】
周板８２の軸寸法は、座部３や背凭れ４の厚み（寸法）と略同程度の寸法となるように形成されている。また、図４に示すように、振動子ユニット５Ｌ、５Ｒ、６Ｌ、６Ｒは、振動促進材９の着座者側の面９Ａ及び振動吸収材８の着座者側の面８Ａが、略面一になるように設置されている。【００２９】
振動子ユニット５Ｌ、６Ｌの振動子７の周囲に設けられた振動吸収材８は、内側に位置する振動子７の振動が、第２領域Ｅ２、Ｅ４に伝播することを抑制する。また、振動子ユニット５Ｒ、６Ｒの振動子７の周囲に設けられた振動吸収材８は、内側に位置する振動子７の振動が、第１領域Ｅ１、Ｅ３に伝播することを抑制する。【００３０】
振動促進材９は、振動子７の振動方向側の面と略同一形状となるように円板状に形成されている。振動促進材９は、座部３や背凭れ４内部の緩衝部材１１より硬い素材で構成されており、本実施例では、ウレタンフォームで構成されている。【００３１】
このような振動子ユニット５Ｌ、５Ｒ、６Ｌ、６Ｒは、図５、図６に示すように、座部３や背凭れ４に、着座面に直交する方向に貫通する貫通孔１２が形成され、貫通孔１２内に各振動子ユニット５Ｌ、５Ｒ、６Ｌ、６Ｒが挿入されて固定されている。この際、振動促進材９が、着座者に近接する位置にあり、振動吸収材８の底板８１が、着座者から離隔した位置にあるように配置されている。また、図７に示すように、振動子ユニット５Ｌ、５Ｒ、６Ｌ、６Ｒは、振動促進材９の着座者側の面９Ａ及び振動吸収材８の着座者側の面８Ａと、着座面（図７中の符号３Ａ、４Ａが示す位置）と、が略面一になるように設置されている。着座面３Ａ、４Ａとは、シート材１０の表面のことである。【００３２】
上記構成の振動子ユニット５Ｌ、５Ｒ、６Ｌ、６Ｒが適用された座席１Ａによれば、図７に示すように、各振動子ユニット５Ｌ、５Ｒ、６Ｌ、６Ｒが発する振動は、振動子７の軸方向に、伝播促進材９（伝播促進手段）により良好に伝播し、振動子７の径方向への伝播が、振動吸収材８により抑制されるので、着座者に振動源位置をより正確に認識させることができる。即ち、振動を発している振動子７が右側のものか左側のものかをより正確に認識させることができる。よって、各振動子ユニット５Ｌ、５Ｒ、６Ｌ、６Ｒの振動が意味する情報を着座者に正しく認識させることができる。【００３３】
また、各振動子７の周囲に振動吸収材８（伝播抑制手段）を設けることにより、各振動子ユニット５Ｌ、５Ｒ、６Ｌ、６Ｒの振動範囲を狭い範囲に限定することができるので、着座者に振動源位置をより正確に認識させることができる。【００３４】
また、振動吸収材８（伝播抑制手段）は、振動子の周面を覆いつつ、振動子の振動方向に位置する各面のうち振動伝播面（第１板壁５１３）とは反対の面（第２板壁５１４）を覆う断面略Ｃ字状に形成されている。これによれば、振動吸収材８により、振動子７の振動が、振動子７の径方向の外側から回り込んで、着座者（対象者）に伝播され難くなるから、振動子７の振動範囲を、より一層、狭い範囲に限定することができる。【００３５】
また、振動吸収材８より、振動を伝播させ易い素材から構成された伝播促進材９（伝播促進手段）をさらに備え、伝播促進材９（伝播促進手段）が、振動子７の振動方向に位置する各面のうち振動伝播面（第１板壁５１３）を覆っている。ここで、着座者（対象者）と振動子７との間に伝播促進材９を介在させた場合には、振動が、振動子７の振動方向側に伝播促進材９により良好に伝播する。従って、振動子７の振動範囲を、振動させたい範囲には良好に伝播させつつ、振動させたくない範囲には伝播させ難くできる。従って、振動子７の振動範囲を、狭い範囲に限定することができる。【００３６】
ここで、振動子７の設置位置を、着座者（対象者）から離隔させるにしたがって、振動子７の振動が、径方向の外側から対象者に伝播され難くなる。換言すると、振動させたくない範囲には振動を伝播させ難くできるが、逆に、振動させたい範囲に振動が伝播され難くなる。従って、振動子７の振動範囲を、振動させたい範囲には良好に伝播させつつ、振動させたくない範囲には伝播させ難くするために、伝播促進材９（伝播促進手段）が設けられている。伝播促進材９が設けられていることにより、振動子７の振動範囲を、振動させたい範囲には良好に伝播させつつ、振動させたくない範囲には伝播させ難くできる。【００３７】
なお、本発明は、前記実施例に限定されるものではなく、本発明の目的が達成できる他の構成等を含み、以下に示すような変形例も本発明に含まれる。【００３８】
前記第１実施例では、振動子ユニット５Ｌ、５Ｒ、６Ｌ、６Ｒは、振動子７と、各振動子７の振動を抑制する振動吸収材８（伝播抑制手段）と、各振動子７の振動を促進する振動促進材９（伝播促進手段）と、を備えて構成されているが、本発明は、これに限定されるものではない。図８に示すように、振動子ユニット１５Ｌ、１５Ｒ、１６Ｌ、１６Ｒは、振動子７と、各振動子７の振動を抑制する振動吸収材８と、を備えて構成されていてもよい。即ち、伝播促進手段は省略してもよい。図８において、前述した第１実施例と同一構成部分には同一符号を付して説明を省略する。【００３９】
即ち、第１実施例の変形例における振動子ユニット１５Ｌ、１５Ｒ、１６Ｌ、１６Ｒにおいて、着座面３Ａ、４Ａと振動子７との間には、空洞Ｓ１が存在している。なお、振動吸収材８における振動子７の設置位置は、所望の振動が、着座者（対象者）に伝播可能な位置に適宜設定すればよい。これによれば、着座者と振動子７との間に、伝播促進材９が介在していない分だけ、振動子７の振動が、着座者に伝播され難くなるものの、振動吸収材８（伝播抑制手段）により、振動子７の振動が、径方向の外側から対象者に伝播され難くなる。従って、振動子の振動範囲を、振動させたい範囲には良好に伝播させつつ、振動させたくない範囲には伝播させ難くできる。これにより、振動子の振動範囲を、狭い範囲に限定することができる。【００４０】
また、前記第１実施例の変形例では、着座面３Ａ、４Ａと振動子７との間に、空洞Ｓ１が存在するように、振動子７が設置されているが、振動子７は、図９に示すように、その第１板壁５１３及び振動吸収材８の着座者側の面８Ａが、略面一になるように設置されていてもよい。この際、振動子７の第１板壁５１３及び振動吸収材８の着座者側の面８Ａは、シート部材１０により覆われていてもよい。図９において、前述した第１実施例と同一構成部分には同一符号を付して説明を省略する。これによれば、第１実施例の変形例と略同様の効果が奏される。【００４１】
また、前記第１実施例の変形例では、振動子７は、振動吸収材８の底板８１に接触して設けられているが、振動子７は、図１０に示すように、振動吸収材８の底板８１に対して離間して設けられていてもよい。即ち、振動子７の振動方向の両側に空洞Ｓ１、Ｓ２´が存在するように、振動子７が設置されていてもよい。図１０において、前述した第１実施例と同一構成部分には同一符号を付して説明を省略する。これによれば、第１実施例の変形例と略同様の効果が奏される。【００４２】
（第２実施例）
以下、本発明の第２実施例かかる振動子ユニット２５Ｌ、２５Ｒ、２６Ｌ、２６Ｒについて、図１１、図１２を参照して説明する。振動子ユニット２５Ｌ、２５Ｒ、２６Ｌ、２６Ｒは、振動子７と、各振動子７の振動を抑制する振動吸収材１８（伝播抑制手段）と、各振動子７の振動を促進する振動促進材９（伝播促進手段）と、を備えて構成されている。図１１、図１２において、前述した実施例と同一構成部分には同一符号を付して説明を省略する。第１実施例と第２実施例とは、振動吸収材の形状が相違する。【００４３】
振動吸収材１８は、図１１、図１２に示すように、円環状の周板１８２を備えて形成されている。即ち、第２実施例の振動子ユニット２５Ｌ、２５Ｒ、２６Ｌ、２６Ｒは、第１実施例の底板８１を有していないとともに、振動子７の着座者（対象者）から離れた側には、空洞Ｓ３（図１２に示す）が存在している。また、図１２に示すように、振動子ユニット２５Ｌ、２５Ｒ、２６Ｌ、２６Ｒは、振動促進材９の着座者側の面９Ａ及び振動吸収材１８の着座者側の面１８Ａが、略面一になるように設置されている。これによれば、第１実施例と略同様の効果が奏される。【００４４】
（第３実施例）
以下、本発明の第３実施例かかる振動子ユニット３５Ｌ、３５Ｒ、３６Ｌ、３６Ｒが適用された座席１Ｂを、図１３、図１４を参照して説明する。振動子ユニット３５Ｌ、３５Ｒ、３６Ｌ、３６Ｒは、振動子７と、各振動子７の振動を抑制する振動吸収材２８（伝播抑制手段）と、図１３、図１４において、前述した実施例と同一構成部分には同一符号を付して説明を省略する。第２実施例と第３実施例とは、振動促進材９（振動促進手段）の有無、及び振動吸収材（振動吸収手段）の形状が相違する。【００４５】
振動吸収材２８は、図１３、図１４に示すように、円環状に形成されている。また、振動吸収材２８は、軸寸法が、振動子７の振動方向の寸法と略同程度となるように形成されている。【００４６】
振動吸収材２８の軸寸法は、座部３や背凭れ４の厚み（寸法）より小さい寸法となるように形成されている。即ち、各振動子ユニット３５Ｌ、３５Ｒ、３６Ｌ、３６Ｒは、座部３や背凭れ４の内部に埋設されている。また、図１４に示すように、振動子ユニット３５Ｌ、３５Ｒ、３６Ｌ、３６Ｒは、振動子７の第１板壁５１３（振動伝播面）及び振動吸収材２８の着座者側の面２８Ａが、略面一になるように設置されている。【００４７】
これによれば、着座者（対象者）と振動子７との間に、伝播促進材（伝播促進手段）が介在していない分だけ、振動子７の振動が、着座者に伝播され難くなるものの、着座者との間に介在する緩衝部材１１（クッション部材）が伝播促進手段として機能することで、振動子７の振動が、着座者に良好に伝播される。従って、着座者に振動源位置をより正確に認識させることができる。【００４８】
（第４実施例）
以下、本発明の第４実施例かかる振動子ユニットが適用された座席１Ｃを図１５〜図１７を参照して説明する。図１５等に示す座席１Ｃは、座部３と、背凭れ４と、二対の振動子ユニット４５Ｌ、４５Ｒ、４６Ｌ、４６Ｒと、不図示の制御手段と、を備え、車両の運転席を構成する。図１５〜図１７において、前述した実施例と同一構成部分には同一符号を付して説明を省略する。【００４９】
振動子ユニット４５Ｌ、４５Ｒ、４６Ｌ、４６Ｒは、振動子７と、各振動子７の周囲に設けられて振動を抑制する弾性部３８（伝播抑制手段）と、を備えている。【００５０】
弾性部３８は、制振バネであり、各振動子７に３つずつ設けられている。この弾性部３８は、図１６に示すように、一端が円筒フレーム５１１の外周部分に取り付けられ、他端が（後述する）枠材１３に取り付けられている。枠材１３は、円筒状に形成されており、各振動子７の周方向に等間隔を掛けて配置されている。なお、図１５〜図１７においては、弾性部３８を模式的に示している。【００５１】
振動子ユニット４５Ｌ、４６Ｌの振動子７の周囲に設けられた弾性部３８は、内側に位置する振動子７の振動が、第２領域Ｅ２、Ｅ４に伝播することを抑制する。また、振動子ユニット４５Ｒ、４６Ｒの振動子７の周囲に設けられた弾性部３８は、内側に位置する振動子７の振動が、第１領域Ｅ１、Ｅ３に伝播することを抑制する。【００５２】
上記構成の座席１Ｃによれば、図１５に示すように、各振動子７が発する振動は、着座者側には良好に伝播し、各振動子７の径方向には、弾性部３８によって伝播が抑制されるので、着座者に振動源位置をより正確に認識させることができる。【００５３】
なお、前記実施例では、弾性部として、制振バネを一例として説明していたが、本発明はこれに限定されるものではない。例えば、弾性部は、弾性を有する材料を用いて円環状に形成されているとともに、振動子７から枠材１３まで周方向に連続形成されていてもよい。即ち、伝播抑制手段は、例えばスピーカーの公知のエッジ形状を有していてもよく、振動子７の振動を吸収して、振動子７の振動範囲を狭い範囲に限定することができれば、如何なる構成であっても構わない。【００５４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５５】
５Ｌ、５Ｒ、６Ｌ、６Ｒ          振動子ユニット
１５Ｌ、１５Ｒ、１６Ｌ、１６Ｒ  振動子ユニット
２５Ｌ、２５Ｒ、２６Ｌ、２６Ｒ  振動子ユニット
３５Ｌ、３５Ｒ、３６Ｌ、３６Ｒ  振動子ユニット
４５Ｌ、４５Ｒ、４６Ｌ、４６Ｒ  振動子ユニット
３                              座部（配設部）
４                              背凭れ（配設部）
７                              振動子
８、１８、２８                  振動吸収材（伝播抑制手段）
３８                            弾性部（伝播抑制手段）
９                              振動促進材（伝播促進手段）
５１３                          第１板壁（振動伝播面）
５１４                          第２板壁（振動伝播面とは反対の面）
【図１】
2019044825.tif 000003
【図２】
2019044825.tif 000004
【図３】
2019044825.tif 000005
【図４】
2019044825.tif 000006
【図５】
2019044825.tif 000007
【図６】
2019044825.tif 000008
【図７】
2019044825.tif 000009
【図８】
2019044825.tif 000010
【図９】
2019044825.tif 000011
【図１０】
2019044825.tif 000012
【図１１】
2019044825.tif 000013
【図１２】
2019044825.tif 000014
【図１３】
2019044825.tif 000015
【図１４】
2019044825.tif 000016
【図１５】
2019044825.tif 000017
【図１６】
2019044825.tif 000018
【図１７】
2019044825.tif 000019
【国際調査報告】
2019044825.tif 000020
2019044825.tif 000021
2019044825.tif 000022
2019044825.tif 000023